(57)【要約】【課題】  装置の厚みを薄くすることができる画像読取装置を提供する。【解決手段】  本発明に係る画像読取装置２は、検出部７１から光軸変更部材７２に向かう投射光の光軸ＬＡ１は、透光板４に沿う方向Ｄ２又は透光板４に近づく方向に設定され、光軸変更部材７２から検出部７１に向かう反射光の光軸ＬＡ２は、透光板４に沿う方向Ｄ２又は透光板４から離れる方向に設定される。【選択図】  図４
2015056714.tif 000002
【特許請求の範囲】
【請求項１】
原稿が載置される透光板と、
前記透光板の下方側に配置され、原稿を検出すべく投光し且つ受光する検出部と、
前記透光板の下方側に配置され、前記検出部から投射された投射光の光軸の方向を原稿に向けて変更し且つ原稿で反射された反射光の光軸の方向を前記検出部に向けて変更する一つの光軸変更部材と、を備え、
前記検出部から前記光軸変更部材に向かう投射光の光軸は、透光板に沿う方向又は透光板に近づく方向に設定され、前記光軸変更部材から前記検出部に向かう反射光の光軸は、透光板に沿う方向又は透光板から離れる方向に設定される画像読取装置。
【請求項２】
前記光軸変更部材は、光を反射する反射部材である請求項１に記載の画像読取装置。
【請求項３】
前記光軸変更部材は、各光軸の方向を８５°〜９５°の角度で変更する請求項２に記載の画像読取装置。
【請求項４】
原稿が載置される透光板と、
前記透光板の下方側に配置され、原稿を検出すべく投光し且つ受光する検出部と、
前記透光板の下方側に配置され、前記検出部から投射された投射光の光軸の方向を原稿に向けて変更し且つ原稿で反射された反射光の光軸の方向を前記検出部に向けて変更する光学系と、を備え、
前記光学系は、各光軸の方向を変更する複数の光軸変更部材を備え、
前記検出部から所定の光軸変更部材に向かう投射光の光軸は、透光板に沿う方向又は透光板に近づく方向に設定され、前記所定の光軸変更部材から前記検出部に向かう反射光の光軸は、透光板に沿う方向又は透光板から離れる方向に設定される画像読取装置。
【請求項５】
前記複数の光軸変更部材は、光を反射する反射部材であって、
前記複数の光軸変更部材のうち少なくとも一つは、各光軸の方向をそれぞれ複数回変更する請求項４に記載の画像読取装置。
【発明の詳細な説明】
【技術分野】
【０００１】
本発明は、原稿が載置される透光板と、透光板の下方側に配置され、原稿を検出する検出部とを備える画像読取装置に関する。
【背景技術】
【０００２】
従来、画像読取装置として、原稿が載置される透光板と、光を投射する投光部と、投光部から投射された光を反射する反射部材と、反射部材で反射した光を受ける受光部とを備える画像読取装置が知られている（例えば、特許文献１）。斯かる画像読取装置によれば、受光部が光を受けることにより、原稿のサイズが検出されている。
【０００３】
ところで、特許文献１に係る画像読取装置においては、投光部から反射部材に向かう光の光軸は、透光板から離れる方向、即ち、斜め下方向に設定されている。したがって、装置の厚み（透光板に対して垂直方向の寸法）を薄くすることに限界があった。
【先行技術文献】
【特許文献】
【０００４】
【特許文献１】特開２００７−３０４１９３号公報
【発明の概要】
【発明が解決しようとする課題】
【０００５】
よって、本発明は、斯かる事情に鑑み、装置の厚みを薄くすることができる画像読取装置を提供することを課題とする。
【課題を解決するための手段】
【０００６】
本発明に係る画像読取装置は、原稿が載置される透光板と、前記透光板の下方側に配置され、原稿を検出すべく投光し且つ受光する検出部と、前記透光板の下方側に配置され、前記検出部から投射された投射光の光軸の方向を原稿に向けて変更し且つ原稿で反射された反射光の光軸の方向を前記検出部に向けて変更する一つの光軸変更部材と、を備え、前記検出部から前記光軸変更部材に向かう投射光の光軸は、透光板に沿う方向又は透光板に近づく方向に設定され、前記光軸変更部材から前記検出部に向かう反射光の光軸は、透光板に沿う方向又は透光板から離れる方向に設定される。
【０００７】
本発明に係る画像読取装置によれば、検出部から光軸変更部材に向かう投射光の光軸は、透光板に沿う方向又は透光板に近づく方向に設定されている。また、光軸変更部材から検出部に向かう反射光の光軸は、透光板に沿う方向又は透光板から離れる方向に設定されている。したがって、投射光及び反射光の各光軸において、検出部における位置が最も透光板から離れた位置となる。これにより、装置の厚みを薄くすることができる。
【０００８】
また、本発明に係る画像読取装置においては、前記光軸変更部材は、光を反射する反射部材である、という構成でもよい。
【０００９】
また、本発明に係る画像読取装置においては、前記光軸変更部材は、各光軸の方向を８５°〜９５°の角度で変更する、という構成でもよい。
【００１０】
また、本発明に係る画像読取装置は、原稿が載置される透光板と、前記透光板の下方側に配置され、原稿を検出すべく投光し且つ受光する検出部と、前記透光板の下方側に配置され、前記検出部から投射された投射光の光軸の方向を原稿に向けて変更し且つ原稿で反射された反射光の光軸の方向を前記検出部に向けて変更する光学系と、を備え、前記光学系は、各光軸の方向を変更する複数の光軸変更部材を備え、前記検出部から所定の光軸変更部材に向かう投射光の光軸は、透光板に沿う方向又は透光板に近づく方向に設定され、前記所定の光軸変更部材から前記検出部に向かう反射光の光軸は、透光板に沿う方向又は透光板から離れる方向に設定される。
【００１１】
本発明に係る画像読取装置によれば、検出部から所定の光軸変更部材に向かう投射光の光軸は、透光板に沿う方向又は透光板に近づく方向に設定されている。また、所定の光軸変更部材から検出部に向かう反射光の光軸は、透光板に沿う方向又は透光板から離れる方向に設定されている。したがって、投射光及び反射光の各光軸において、検出部における位置が最も透光板から離れた位置となる。これにより、装置の厚みを薄くすることができる。
【００１２】
また、本発明に係る画像読取装置においては、前記複数の光軸変更部材は、光を反射する反射部材であって、前記複数の光軸変更部材のうち少なくとも一つは、各光軸の方向をそれぞれ複数回変更する、という構成でもよい。
【発明の効果】
【００１３】
以上の如く、本発明に係る画像読取装置は、装置の厚みを薄くすることができるという優れた効果を奏する。
【図面の簡単な説明】
【００１４】
【図１】図１は、本発明の一実施形態に係る画像読取装置を備える画像形成装置の全体斜視図である。
【図２】図２は、同実施形態に係る画像読取装置の要部側面図である。
【図３】図３は、同実施形態に係る画像読取装置の内部概要図を示す。
【図４】図４は、同実施形態に係る画像読取装置の内部概要図を示す。
【図５】図５は、本発明の他の実施形態に係る画像読取装置の内部概要図を示す。
【図６】図６は、本発明のさらに他の実施形態に係る画像読取装置の内部概要図を示す。
【発明を実施するための形態】
【００１５】
以下、本発明に係る画像読取装置における一実施形態について、図１〜図４を参酌して説明する。
【００１６】
図１に示すように、本実施形態に係る画像読取装置２は、画像形成装置１（例えば、複写機）に備えられている。斯かる画像形成装置１は、原稿１００を読み取る画像読取装置２と、画像読取装置２に原稿１００を供給する原稿供給装置１１と、画像読取装置２で読み取った画像を用紙に形成する画像形成部１２と、画像形成部１２に用紙を供給する給紙部１３とを備えている。
【００１７】
画像読取装置２は、図２及び図３に示すように、筐体である装置本体３と、装置本体３の上部に配置され、原稿１００が載置される透光板４と、装置本体３に回転可能に連結され、透光板４を覆うカバー５とを備えている。また、画像読取装置２は、原稿１００を読み取る画像読取部６と、原稿１００のサイズを検出するサイズ検出部７とを備えている。本実施形態において、透光板４は、ガラス板としている。
【００１８】
装置本体３は、カバー５の位置を検出するカバー位置検出部３１を備えている。カバー位置検出部３１は、柱状に形成されており、バネ（図示していない）等により上方に向けて付勢されている。そして、カバー位置検出部３１は、カバー５が大きく開いた状態から徐々に閉じる際にカバー５に押圧されることで、カバー５が所定位置に位置したことを検出する。
【００１９】
画像読取部６は、原稿１００に向けて光を投射する走査部６１と、原稿１００で反射した光の光軸の方向を変更させるミラーユニット６２とを備えている。また、画像読取部６は、ミラーユニット６２で反射された光を読み取る画像読取センサ６３を備えている。
【００２０】
走査部６１は、光源６１ａと二つの反射ミラー６１ｂ，６１ｃとを備えており、副走査方向（装置１，２の左右方向）Ｄ２に沿って定速で移動可能に構成されている。走査部６１は、透光板４の下方側であって、装置本体３の内部に配置されている。そして、光源６１ａから投射された光は、直接及び反射ミラー６１ｂにより、透光板４を透過して原稿１００に導かれる。また、原稿１００で反射された光は、透光板４を透過して、反射ミラー６１ｃで反射されることにより、ミラーユニット６２に導かれる。
【００２１】
ミラーユニット６２も、副走査方向Ｄ２に沿って定速で移動可能に構成されており、２つの反射ミラー６２ａ，６２ｂを備えている。ミラーユニット６２は、透光板４の下方側であって、装置本体３の内部に配置されている。そして、走査部６１からの光は、各反射ミラー６２ａ，６２ｂで反射されることにより、画像読取センサ６３に導かれる。なお、原稿１００と画像読取センサ６３との光路長が一定に保持されるように、走査部６１とミラーユニット６２との駆動制御が行われる。
【００２２】
画像読取センサ６３は、透光板４の下方側であって、装置本体３の内部に配置されている。画像読取センサ６３は、本実施形態においては、ＣＣＤラインセンサとしており、主走査方向（装置１，２の前後方向）Ｄ１に沿って多数のセンサーアレイを備えている。なお、画像読取センサ６３は、ＣＣＤでなくてもよく、例えば、ＣＭＯＳであってもよい。
【００２３】
光源６１ａの光が原稿１００の面を照射し、その反射光が反射ミラー６１ｃで反射して、さらに、２つの反射ミラー６２ａ，６２ｂを経由して、画像読取センサ６３に到達する。これにより、原稿１００の主走査方向Ｄ１における画像情報（１ライン分）を読み取ることができる。
【００２４】
サイズ検出部７は、図４に示すように、原稿１００を検出すべく、投光し且つ受光する検出部７１を備えている。また、サイズ検出部７は、検出部７１から投射された投射光の光軸ＬＡ１の方向と原稿１００で反射された反射光の光軸ＬＡ２の方向を変更する光軸変更部材７２を一つ備えている。そして、サイズ検出部７は、原稿１００のサイズに対応した位置に配置されている。
【００２５】
検出部７１は、光軸変更部材７２に向けて光を投射する投光部７１ａと、光軸変更部材７２からの光を受ける受光部７１ｂとを備えている。そして、検出部７１は、透光板４の下方側であって、装置本体３の内部に配置されている。また、検出部７１は、装置本体３に固定されている。
【００２６】
光軸変更部材７２は、光を反射する反射部材である。具体的には、光軸変更部材７２は、反射ミラーである。そして、光軸変更部材７２は、透光板４の下方側であって、装置本体３の内部に配置されている。また、光軸変更部材７２は、装置本体３に固定されている。
【００２７】
光軸変更部材７２は、検出部７１から投射された投射光の光軸ＬＡ１の方向を原稿１００に向けて変更し、また、原稿１００で反射された反射光の光軸ＬＡ２の方向を検出部７１に向けて変更する。なお、光軸変更部材７２は、投射光の光軸ＬＡ１と反射光の光軸ＬＡ２とが一致するように、構成されている。そして、光軸変更部材７２は、各光軸ＬＡ１，ＬＡ２の方向を８５°〜９５°の角度で変更している。本実施形態においては、光軸変更部材７２は、各光軸ＬＡ１，ＬＡ２の方向を９０°の角度で変更している。
【００２８】
これにより、投射光の光軸ＬＡ１は、検出部７１から投射された投射光が光軸変更部材７２に入射される第１の光軸ＬＡ１ａと、光軸変更部材７２で反射された投射光が原稿１００に入射される第２の光軸ＬＡ１ｂとからなる。また、反射光の光軸ＬＡ２は、原稿１００で反射された反射光が光軸変更部材７２に入射される第１の光軸ＬＡ２ａと、光軸変更部材７２で反射された反射光が検出部７１に入射される第２の光軸ＬＡ２ｂとからなる。
【００２９】
本実施形態に係る画像読取装置２の構成については以上の通りであり、次に、本実施形態に係る画像読取装置２の原稿１００のサイズを検出する方法について、図４を参酌して説明する。
【００３０】
カバー位置検出部３１が、カバー５が所定位置に位置したことを検出することにより、検出部７１は、光を投射する。このとき、検出部７１から光軸変更部材７２に向かう投射光の第１の光軸ＬＡ１ａは、透光板４に沿う方向Ｄ２、即ち、透光板４の面と平行な方向Ｄ２である。そして、検出部７１から投射された光は、光軸変更部材７２で反射される。このとき、光軸変更部材７２から原稿１００に向かう投射光の第２の光軸ＬＡ１ｂは、透光板４の面に垂直な方向Ｄ３である。
【００３１】
そして、光は、原稿１００で反射されて、光軸変更部材７２に向かう。このとき、原稿１００から光軸変更部材７２に向かう反射光の第１の光軸ＬＡ２ａは、透光板４の面に垂直な方向Ｄ３である。そして、原稿１００で反射された光は、光軸変更部材７２でさらに反射され、検出部７１で受けられる。このとき、光軸変更部材７２から検出部７１に向かう反射光の第２の光軸ＬＡ２ｂは、透光板４に沿う方向Ｄ２、即ち、透光板４の面と平行な方向Ｄ２である。
【００３２】
このように、検出部７１は、受光するか否かにより、原稿１００が所定位置に位置しているか否かを検出できる。これにより、原稿１００のサイズを検出することができる。
【００３３】
以上より、本実施形態に係る画像読取装置２によれば、検出部７１から光軸変更部材７２に向かう投射光の光軸ＬＡ１ａは、透光板４に沿う方向Ｄ２に設定されている。また、光軸変更部材７２から検出部７１に向かう反射光の光軸ＬＡ２ｂは、透光板４に沿う方向Ｄ２に設定されている。したがって、投射光及び反射光の各光軸ＬＡ１，ＬＡ２において、検出部７１における位置が最も透光板４から離れた位置、即ち、最下位置となる。これにより、装置の厚みを薄くすることができる。
【００３４】
特に、検出部７１が所定距離以上の光路長を必要とする場合であっても、透光板４に沿う方向Ｄ２（Ｄ１）である投射光の第１の光軸ＬＡ１ａ（反射光の第２の光軸ＬＡ２ｂ）の部分で、充分な光路長を持たせることにより、装置１，２の厚み方向Ｄ３である投射光の第２の光軸ＬＡ１ｂ（反射光の第１の光軸ＬＡ２ａ）の部分を短くすることができる。これにより、装置の厚みを薄くすることができる。
【００３５】
なお、本発明に係る画像読取装置は、上記した実施形態の構成に限定されるものではなく、また、上記した作用効果に限定されるものではない。また、本発明に係る画像読取装置は、本発明の要旨を逸脱しない範囲内において種々変更を加え得ることは勿論である。例えば、下記する各種の変更例に係る構成や方法等を任意に選択して、上記した実施形態に係る構成や方法等に採用してもよいことは勿論である。
【００３６】
上記実施形態に係る画像読取装置２においては、検出部７１から光軸変更部材７２に向かう投射光の光軸ＬＡ１ａは、透光板４に沿う方向Ｄ２に設定され、光軸変更部材７２から検出部７１に向かう反射光の光軸ＬＡ２ｂは、透光板４に沿う方向Ｄ２に設定されている、という構成である。しかしながら、本発明に係る画像読取装置は、斯かる構成に限られない。
【００３７】
例えば、本発明に係る画像読取装置は、図５に示すように、検出部７１から光軸変更部材７２に向かう投射光の光軸ＬＡ１ａは、透光板４に近づく方向（斜め上方向）に設定され、光軸変更部材７２から検出部７１に向かう反射光の光軸ＬＡ２ｂは、透光板４から離れる方向（斜め下方向）に設定される、という構成でもよい。
【００３８】
また、上記実施形態に係る画像読取装置２においては、光軸変更部材７２は、一つ備えられている、という構成である。しかしながら、本発明に係る画像読取装置は、斯かる構成に限られない。具体的には、本発明に係る画像読取装置においては、図６に示すように、光軸変更部材７３ａ，７３ｂは、複数備えられている、という構成でもよい。
【００３９】
図６に示すサイズ検出部７は、検出部７１から投射された投射光の光軸ＬＡ１の方向を原稿１００に向けて変更し且つ原稿１００で反射された反射光の光軸ＬＡ２の方向を検出部７１に向けて変更する光学系７３を備えている。そして、光学系７３は、各光軸ＬＡ１，ＬＡ２の方向を変更する第１及び第２の光軸変更部材７３ａ，７３ｂを備えている。
【００４０】
検出部７１から第１の光軸変更部材７３ａに向かう投射光の光軸ＬＡ１は、透光板４に沿う方向Ｄ２（又は透光板４に近づく方向）に設定され、第１の光軸変更部材７３ａから検出部７１に向かう反射光の光軸ＬＡ２は、透光板４に沿う方向Ｄ２（又は透光板４から離れる方向）に設定されている。そして、第１の光軸変更部材７３ａは、各光軸ＬＡ１，ＬＡ２の方向をそれぞれ複数回変更するように、光を反射している。
【００４１】
また、上記実施形態に係る画像読取装置２においては、光軸変更部材７２は、光を反射する反射部材である、という構成である。しかしながら、本発明に係る画像読取装置は、斯かる構成に限られない。具体的には、本発明に係る画像読取装置においては、光軸変更部材７２は、ガラス棒等の導光部材である、という構成でもよい。
【００４２】
また、上記実施形態に係る画像読取装置２においては、検出部７１から光軸変更部材７２に向かう投射光の光軸ＬＡ１ａは、装置１，２の左右方向（副走査方向）Ｄ２に設定されている、という構成である。しかしながら、本発明に係る画像読取装置は、斯かる構成に限られない。
【００４３】
例えば、本発明に係る画像読取装置においては、検出部７１から光軸変更部材７２に向かう投射光の光軸ＬＡ１ａは、装置１，２の前後方向（走査方向）Ｄ１に設定されている、という構成でもよい。要するに、検出部７１から光軸変更部材７２に向かう投射光の光軸ＬＡ１ａは、透光板４に沿う方向又は透光板４に近づく方向に設定されていればよい。
【００４４】
また、上記実施形態に係る画像読取装置２においては、光軸変更部材７２から検出部７１に向かう反射光の光軸ＬＡ２ｂも、装置１，２の左右方向（副走査方向）Ｄ２に設定されている、という構成である。しかしながら、本発明に係る画像読取装置は、斯かる構成に限られない。
【００４５】
例えば、本発明に係る画像読取装置においては、光軸変更部材７２から検出部７１に向かう反射光の光軸ＬＡ２ｂは、装置１，２の前後方向（走査方向）Ｄ１に設定されている、という構成でもよい。要するに、光軸変更部材７２から検出部７１に向かう反射光の光軸ＬＡ２ｂは、透光板４に沿う方向又は透光板４から離れる方向に設定されていればよい。
【符号の説明】
【００４６】
１…画像形成装置、２…画像読取装置、３…装置本体、４…透光板、５…カバー、６…画像読取部、７…サイズ検出部、１１…原稿供給装置、１２…画像形成部、１３…給紙部、３１…カバー位置検出部、６１…走査部、６１ａ…光源、６１ｂ…反射ミラー、６１ｃ…反射ミラー、６２…ミラーユニット、６２ａ…反射ミラー、６２ｂ…反射ミラー、６３…画像読取センサ、７１…検出部、７１ａ…投光部、７１ｂ…受光部、７２…光軸変更部材、７３…光学系、７３ａ…光軸変更部材、７３ｂ…光軸変更部材、１００…原稿、Ｄ１…装置の前後方向（主走査方向）、Ｄ２…装置の左右方向（副走査方向）、Ｄ３…装置の厚み方向、ＬＡ１…投射光の光軸、ＬＡ１ａ…投射光の第１の光軸、ＬＡ１ｂ…投射光の第２の光軸、ＬＡ２…反射光の光軸、ＬＡ２ａ…反射光の第１の光軸、ＬＡ２ｂ…反射光の第２の光軸
【図１】
2015056714.tif 000003
【図２】
2015056714.tif 000004
【図３】
2015056714.tif 000005
【図４】
2015056714.tif 000006
【図５】
2015056714.tif 000007
【図６】
2015056714.tif 000008